(57)【要約】【課題】            箸等の挿入袋としての機能を的確に保持できると共に、この袋を破れの少ない紙ナプキンとして容易に広げることができるようにする。【解決手段】        ナプキン紙を縦折れ目１で折畳み、この縦折れ目と直交する横折れ目６でさらに二つ折りした二つの紙片部７ａ，７ｂの折畳み対向紙面８ａ，８ｂを、両側縁部３，３又は一方の側縁部の近くの箇所をスポット的な接着部位１０として局部的に接着して挿入袋部１２を形成した。そして、前記接着部位１０を個別に囲む切れ目２０を前記折畳み対向紙面の一方に形成した。【選択図】          図４
2010240162.tif 000002
【特許請求の範囲】
【請求項１】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を前記両側縁部又は一方の側縁部の近くの箇所における前記横折れ目と交わる方向に間隔をおいた複数箇所をスポット的な接着部位としてホットメルト接着剤を介して局部的に接着し、前記折畳み対向紙面間に前記横折れ目と前記接着部位で略コ字状又は略Ｌ字状に区画された挿入袋部を形成すると共にこの挿入袋部の開放端側を挿入口として形成したことを特徴とする紙ナプキン兼用の箸、スプーン、フォーク等の挿入袋。
【請求項２】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を前記両側縁部又は一方の側縁部の近くの箇所をスポット的な接着部位として局部的に接着し、前記折畳み対向紙面間に前記横折れ目と前記接着部位で略コ字状又は略Ｌ字状に区画された挿入袋部を形成すると共にこの挿入袋部の開放端側を挿入口として形成し、且つ前記接着部位を個別に囲む不連続な切れ目を前記折畳み対向紙面を成す対向紙片層の一方に形成したことを特徴とする紙ナプキン兼用の箸、スプーン、フォーク等の挿入袋。
【請求項３】
前記折畳み紙ナプキンを横幅方向に引っ張ると縦幅方向に沿って破れやすいが、同じ強さで縦幅方向に引っ張っても横幅方向に沿って破れにくい紙質のナプキン紙で形成したものにおいて、前記切れ目を縦幅方向に向けた縦方向切れ目部と横幅方向に向けた横方向切れ目部で形成し、前記縦方向切れ目は繋ぎ部を介したミシン目状の切れ目とし、前記横方向切れ目部は繋ぎ部を介さない連続切れ目若しくは前記縦方向切れ目に比べて繋ぎ部の範囲を少なくしたミシン目状の切れ目としたことを特徴とする請求項２記載の紙ナプキン兼用の箸、スプーン、フォーク等の挿入袋。
【請求項４】
前記横方向切れ目部を前記縦方向切れ目部の切れ目方向と交わる位置に形成したことを特徴とする請求項３記載の紙ナプキン兼用の箸、スプーン、フォーク等の挿入袋。
【請求項５】
一方の前記紙片部の中央部寄りの端縁を縦幅方向に凹む凹状部に形成し、他方の前記紙片部の中央部寄りの端縁を前記凹状部の凹み面積に対応した縦幅方向に突出する凸状舌片に形成したことを特徴とする請求項１又は２記載の紙ナプキン兼用の箸、スプーン、フォーク等の挿入袋。
【請求項６】
前記縦折り紙ナプキンを、前記縦折れ目と直交する直線状の前記横折れ目で長い縦幅と短い縦幅の二つの紙片部に前記両端縁を段違いにして二つ折りにしたことを特徴とする請求項１又は２記載の紙ナプキン兼用の箸、スプーン、フォーク等の挿入袋。
【請求項７】
前記短い縦幅の紙片部の中央部寄りの端縁を縦幅方向に凹む凹状部に形成し、前記長い縦幅の紙片部の中央部寄りの端縁を前記凹状部の凹み面積に対応した縦幅方向に突出する凸状舌片に形成したことを特徴とする請求項６記載の紙ナプキン兼用の箸、スプーン、フォーク等の挿入袋。
【請求項８】
前記挿入口に最も近い位置にある前記接着部位の位置を、前記短い縦幅の紙片部の端縁から前記横折れ目の方向にずらし、この端縁とずらした接着部位との間を自由端片部としたことを特徴とする請求項６記載の紙ナプキン兼用の箸、スプーン、フォーク等の挿入袋。
【発明の詳細な説明】
【技術分野】
【０００１】
本発明は、箸、スプーン、フォーク、ナイフ等の挿入袋として使用した後、この袋を広げて食卓用の紙ナプキンとして使用できるようにした紙ナプキン兼用の箸、スプーン、フォーク等の挿入袋に関する。
【背景技術】
【０００２】
箸、スプーン、フォーク、ナイフ等の挿入袋として使用した後、この袋を広げて食卓用の紙ナプキンとしても使用できるようにした従来技術として、特許文献１〜３が公開されている。
【０００３】
特許文献１の食卓用紙ナプキン兼用箸、スプーン等のカバーは、一枚のナプキン紙を1回又は複数回同方向に折畳み、最後に折畳み方向と直角に折返して重なる二つの紙片の開放した二つの側辺の双方を接着し、二つの紙片と、その両紙片間に箸、スプーン等を挿入する袋部を形成したものである（請求項２）。この接着は接着剤で行なわれ（段落０００５、０００６）、この接着剤の接着力は、食後に口を拭うために使用する際は容易に剥離できるように適度に低いものとしてある（段落０００７）。また、接着範囲は、図示の実施例では側辺の全体を接着してある。換言すれば文献１の接着は容易に剥離されてしまうものと言え、たとえ側辺全体を接着してあっても容易に剥離されてしまうものと言える。したがって、この文献の紙ナプキン兼用カバーは、カバーとして使用する際には袋としての機能を保持しにくいものである。特に金属製のスプーン、フォーク、ナイフ等の重いものや、湾曲した嵩張る形状ゆえ袋内で広い空間を占めるスプーンやフォークを袋内に挿入する場合、特に挿入時に袋にかかる抵抗で接着部が剥離してしまう懸念がある。
【０００４】
特許文献２のナプキンのついた箸袋は、箸袋の箸挿入先を接着した構造であり、挿入した箸の先端で接着部が剥れてしまう懸念がある。
【０００５】
特許文献３の箸袋ナプキンは、単にナプキン紙を折り畳んだ構造であり、箸袋としては無接着の構造であるため箸袋としての袋形態を保持しにくいものである。
【先行技術文献】
【特許文献】
【０００６】
【特許文献１】実用新案登録第３００５３００号公報
【特許文献２】実開昭６３−３４０７７号公報
【特許文献３】実開昭５４−１１９５７４号公報
【発明の概要】
【発明が解決しようとする課題】
【０００７】
このような実情に鑑み、本発明に係る紙ナプキン兼用の箸、スプーン、フォーク等の挿入袋は、箸、スプーン、フォーク、ナイフ等の挿入袋として使用する際は袋としての機能を的確に保持できると共に、この袋を広げて紙ナプキンとして用いる際も、容易に広げることができ、且つ破れの少ない紙ナプキンを提供することを主な目的とするものである（第一の課題）。
【０００８】
また、特許文献１の図面に示したように、挿入袋としてテーブル面上にセットする場合、段違い二つ折りの長い縦幅の紙片部を下にしてテーブル面にセットしている。しかし、段違い二つ折り前の縦幅長さを一定の長さ（例えば、一般的に流通している折畳み紙ナプキンは２４〜２５ｃｍが主流。）に限定しているナプキン紙においては、二つ折りされた長い縦幅の紙片部の縦幅長さにも限界がある。このため、実情としてはテーブル面と箸、スプーン、フォーク等との接触範囲が多くなってしまい不衛生である。本発明に係る紙ナプキン兼用の箸、スプーン、フォーク等の挿入袋は、この問題も解決しようとするものである（第二の課題）。
【課題を解決するための手段】
【０００９】
上記した第一の課題を解決するため、本発明は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を前記両側縁部又は一方の側縁部の近くの箇所における前記横折れ目と交わる方向に間隔をおいた複数箇所をスポット的な接着部位としてホットメルト接着剤を介して局部的に接着し、前記折畳み対向紙面間に前記横折れ目と前記接着部位で略コ字状又は略Ｌ字状に区画された挿入袋部を形成すると共にこの挿入袋部の開放端側を挿入口として形成した紙ナプキン兼用の箸、スプーン、フォーク等の挿入袋を提供する。また、前記縦折り紙ナプキンを、前記縦折れ目と直交する直線状の前記横折れ目で長い縦幅と短い縦幅の二つの紙片部に前記両端縁を段違いにして二つ折りにした紙ナプキン兼用の箸、スプーン、フォーク等の挿入袋を提供する。
【００１０】
この発明によれば、前記折畳み対向紙面を前記両側縁部又は一方の側縁部の近くの箇所における前記横折れ目と交わる方向に間隔をおいた複数箇所をスポット的な接着部位としてホットメルト接着剤を介して局部的に接着して挿入袋部を形成したものであるため、スポット的な局部接着であってもホットメルト接着剤によって比較的強く接着でき、箸、スプーン、フォーク、ナイフ等の挿入袋として使用する際は袋としての機能を的確に保持でき、この袋を広げて紙ナプキンとして用いる際も、スポット的な局部接着であるため側辺全体を接着剤で接着した場合に比べ、接着部を剥がしやすく容易に且つ紙破れ少ない紙ナプキンに広げることができる。
【００１１】
また、上記した第一の課題を解決するため、本発明は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を前記両側縁部又は一方の側縁部の近くの箇所における前記横折れ目と交わる方向に間隔をおいた複数箇所をスポット的な接着部位として局部的に接着し、前記折畳み対向紙面間に前記横折れ目と前記接着部位で略コ字状又は略Ｌ字状に区画された挿入袋部を形成すると共にこの挿入袋部の開放端側を挿入口として形成し、且つ前記接着部位を個別に囲む不連続な切れ目を前記折畳み対向紙面を成す対向紙片層の一方に形成した紙ナプキン兼用の箸、スプーン、フォーク等の挿入袋を提供する。また、前記縦折り紙ナプキンを、前記縦折れ目と直交する直線状の前記横折れ目で長い縦幅と短い縦幅の二つの紙片部に前記両端縁を段違いにして二つ折りにした紙ナプキン兼用の箸、スプーン、フォーク等の挿入袋を提供する。
【００１２】
この発明によれば、接着力が高い接着剤（例えばホットメルト接着剤）を介して接着した場合や接着力を強くエンボス接着（例えば、このエンボス接着は前記接着部位を含む部位に水分を付与してから接着部位をエンボス接着して行なう。）した場合においても、この接着部位を個別に囲む不連続な切れ目を前記折畳み対向紙面を成す対向紙片層の一方に形成したため、箸、スプーン、フォーク等の挿入袋としての役目を終えた本発明の前記折畳み対向紙面を離間方向に広げて紙ナプキンとして用いる場合、前記切れ目を形成してある一方の対向紙片層の接着部はこの切れ目に沿って接着部を局部とした狭い範囲の接着紙片として容易且つ綺麗に抜き取られ、切れ目部を超えた連鎖的な大きな紙破れもなく容易且つ綺麗に広げることができる。しかも、抜き取られた抜き取り紙片は他方の折畳み対向紙面の接着部にそのまま接着され移されるため、抜き取られた抜き取り紙片がゴミとなって落下することもなく、接着部（接着剤）は抜き取られた抜き取り紙片と他方の折畳み対向紙面の間にあり表面に現れないため、口を拭う際も接着部（接着剤）が口に直接触れることもない。したがって、この発明によれば第一の課題をより効果的に解決できる。
【００１３】
また、上記した第一の課題を解決するため、本発明は、前記折畳み紙ナプキンを横幅方向に引っ張ると縦幅方向に沿って破れやすいが、同じ強さで縦幅方向に引っ張っても横幅方向に沿って破れにくい紙質のナプキン紙で形成したものにおいて、前記切れ目を縦幅方向に向けた縦方向切れ目部と横幅方向に向けた横方向切れ目部で形成し、前記縦方向切れ目は繋ぎ部を介したミシン目状の切れ目とし、前記横方向切れ目部は繋ぎ部を介さない連続切れ目若しくは前記縦方向切れ目に比べて繋ぎ部の範囲を少なくしたミシン目状の切れ目とした紙ナプキン兼用の箸、スプーン、フォーク等の挿入袋を提供する。また、上記した第一の課題を解決するため、本発明は、前記横方向切れ目部を前記縦方向切れ目部の切れ目方向と交わる位置に形成した紙ナプキン兼用の箸、スプーン、フォーク等の挿入袋を提供する。
【００１４】
折畳み紙ナプキンを形成するナプキン紙は横幅方向の引っ張り強さに比べて縦幅方向の引っ張り強さを強く形成してある。すなわち、ナプキン紙は、横幅方向に引っ張ると縦幅方向に沿って破れやすいが、同じ強さで縦幅方向に引っ張っても横幅方向に沿って破れにくい紙質に形成してある。このナプキン紙の紙質を考慮した本発明の前記切れ目によれば、横幅方向に引っ張ると縦幅方向に破れやすい縦方向切れ目部は繋ぎ部を介在させることによって、紙ナプキンとして広げて用いるまでは不可抗力で破れないようにし、同じ強さで縦幅方向に引っ張っても横幅方向に沿って破れにくい横方向切れ目部は切れ目範囲を超えて破れが広がりにくいため、この横方向切れ目部は予め切り離し容易に形成してある。しかも、前記横方向切れ目部を前記縦方向切れ目部の切れ目方向と交わる位置に形成してあるため、縦幅方向に沿って破れやすい縦方向切れ目部の切れ目方向の破れ広がりを横方向切れ目部で止めることができる。よって、挿入袋としての役目を終えた本発明の前記折り畳み対向紙面を開け広げて紙ナプキンとして用いる場合、前記切れ目を形成してある一方の対向紙片層の接着部は、前記横方向切れ目部と前記縦方向切れ目部からなる切れ目に沿って接着部を局部とした狭い範囲の接着紙片として更に容易且つ綺麗に抜き取れる。
【００１５】
また、上記した第二の課題を解決するため、本発明は、一方の前記紙片部の中央部寄り端縁を縦幅方向に凹む湾曲した凹状部に形成し、他方の前記紙片部の中央部寄り端縁を前記凹状部の凹み面積に対応した縦幅方向に突出する湾曲した凸状舌片に形成した紙ナプキン兼用の箸、スプーン、フォーク等の挿入袋を提供する。また、上記した第二の課題を解決するため、本発明は、前記縦折り紙ナプキンを、前記縦折れ目と直交する直線状の横折れ目で長い縦幅と短い縦幅の二つの紙片部に前記両端縁を段違いにして二つ折りにしたものにおいて、前記短い縦幅の紙片部の中央部寄り端縁を縦幅方向に凹む湾曲した凹状部に形成し、前記長い縦幅の紙片部の中央部寄り端縁を前記凹状部の凹み面積に対応した縦幅方向に突出する湾曲した凸状舌片に形成した紙ナプキン兼用の箸、スプーン、フォーク等の挿入袋を提供する。
【００１６】
箸、スプーン、フォーク等の挿入袋として用いる場合、段違い二つ折りの折り畳み紙ナプキンは長い縦幅の紙片部を下にしてテーブル面にセットしている。この発明によれば、段違い二つ折り前の縦幅長さを一定の長さ（例えば、一般的に流通している折畳み紙ナプキンは２４〜２５ｃｍが主流。）に限定しているナプキン紙であっても、長い縦幅の紙片部の縦幅方向の面積を凸状舌片の縦長さ範囲だけ更に広くできる。長い縦幅の紙片部を下にしてテーブル面にセットして挿入袋として用いる場合、テーブル面と箸、スプーン、フォーク等との接触範囲が更に少なくなって衛生的である。しかも、短い縦幅の紙片部の端縁を凹状部に湾曲形成してあるため、箸、スプーン、フォーク等を挿入口から挿入袋部へ入れやすい利点もある。
【発明の効果】
【００１７】
上記したように、本発明によれば、箸、スプーン、フォーク、ナイフ等の挿入袋として使用する際は袋としての機能を的確に保持でき、この袋を広げて紙ナプキンとして用いる際も、スポット的な局部接着であるため側辺全体を接着剤で接着した場合に比べ、接着部を剥がしやすく容易に且つ紙破れ少ない紙ナプキンを提供でき、第一の課題を解決できる。そして、各接着部を抜き取り可能な切れ目を形成した本発明によれば、段落００１２で述べたように、優れた機能及び効果を有しているため、第一の課題をより効果的に解決できる。
【００１８】
また、一方の紙片部（短い縦幅の紙片部）の端縁を縦幅方向に凹む湾曲した凹状部に形成し、他方の紙片部（長い縦幅の紙片部）の端縁を前記凹状部の凹み面積に対応した縦幅方向に突出する湾曲した凸状舌片に形成した本発明によれば、段落００１６で述べたように、特に、箸、スプーン、フォーク等の挿入袋として用いる場合に優れた機能及び効果を発揮し、第二の課題を効果的に解決できる。この発明は、市場に広く流通している段違い二つ折りの折畳み紙ナプキン（いわゆる六つ折り紙ナプキンなど）の縦幅長さが一定の長さに限定されている実情を考慮した場合、特に優れた効果を発揮するものである。
【図面の簡単な説明】
【００１９】
【図１】本発明の正面図である。
【図２】図１の実施形態における接着前の広げ状態を説明的に示す正面図である。
【図３】図２のＡ−Ａ矢視線による断面図である。
【図４】本発明の最良の実施形態を示す正面図である。
【図５】図４の実施形態における接着前の広げ状態を説明的に示す正面図である。
【図６】図５のＢ−Ｂ矢視線による断面図である。
【図７】図４の挿入袋を紙ナプキンとして広げた状態を説明的に示す正面図である。
【図８】図７のＣ−Ｃ矢視線による断面図である。
【発明を実施するための形態】
【００２０】
本発明を図１〜図３に示した実施形態に基づき説明する。この実施形態の紙ナプキン兼用の箸、スプーン、フォーク等の挿入袋は、ナプキン紙を直線状の縦折れ目１で２回折畳み、この折畳み形態において前記縦折れ目１又はこの縦折れ目１と平行な側端縁２で横幅サイズを区画する両側縁３，３をもつと共にこの両側縁３，３と交わる両端縁４，４で縦幅サイズを区画された縦折り紙ナプキン５を、前記縦折れ目１と直交する直線状の横折れ目６で長い縦幅の紙片部７ａ（３層の紙片）と短い縦幅の紙片部７ｂ（３層の紙片）の二つの紙片部に前記両端縁４，４を段違いにして二つ折りし、前記両紙片部７ａ，７ｂ間に互いに重ね合わされる折畳み対向紙面８ａ，８ｂをもつ折畳み紙ナプキンであり、この折畳み紙ナプキンの前記折畳み対向紙面８ａ，８ｂを前記両側縁部３，３の近くの箇所をスポット的な接着部位１０として接着剤１１（ホットメルト接着剤）を介して局部的に接着し、前記折畳み対向紙面８ａ，８ｂ間に前記横折れ目６と前記接着部位１０で略コ字状に区画された挿入袋部１２を形成すると共にこの挿入袋部１２の開放端側を挿入口１３として形成してある。なお、前記ナプキン紙として、この実施例では衛生紙を用いるが、紙に類した素材である不織布を除外するものではない。
【００２１】
前記接着は、前記折畳み対向紙面８ａ，８ｂを前記両側縁部３，３の近くの箇所における前記横折れ目６と直交する方向に間隔をおいた複数箇所（二箇所）をスポット的な接着部位１０として接着剤１１（ホットメルト接着剤）を介して局部的に接着してある。ホットメルト接着剤によるスポット的な各接着部位は１ｍｍ〜３ｍｍ径の小さな点状接着で前記折畳み対向紙面８ａ，８ｂを局部的に確実に接着できる。
【００２２】
前記挿入口１３の位置に最も近い位置（図１では最上部）あるスポット的な前記接着部位１０（接着部）の位置を、短い縦幅の紙片部７ｂの端縁４から横折れ目６の方向にずらしてあり（符号Ｌの長さ範囲）、この端縁４とずらしたスポット的な前記接着部位１０（接着部）との間を接着してない自由端片部１４とし、挿入口１３から挿入袋部１２への箸などの挿入を容易にしている。また、この自由端片部１４を設けたことによって、この自由端片部１４を摘んで短い縦幅の紙片部７ｂを長い縦幅の紙片部７ａから離間方向に広げる操作を容易にしている。
【００２３】
図示した折畳み紙ナプキンは、ナプキン紙を直線状の縦折れ目１で２回折畳み三層の縦折り紙ナプキン５とし（図３参照）、この縦折り紙ナプキン５を、前記縦折れ目１と直交する直線状の横折れ目６で長い縦幅の紙片部７ａ（３層の紙片）と短い縦幅の紙片部７ｂ（３層の紙片）の二つの紙片部に前記両端縁４，４を段違いにして二つ折りした、いわゆる六つ折り紙ナプキンを例にしている。縦折り紙ナプキンを横折れ目６で二つ折りしたものであれば、縦折り形態は、図示したものに限定されず、ナプキン紙を直線状の縦折れ目１で１回折畳み二層の縦折り紙ナプキンとし、これを横折れ目６で二つの紙片部に二つ折りしたもの（いわゆる四つ折り紙ナプキン）、ナプキン紙を直線状の縦折れ目１で２回折畳み略Ｃ字状の二層の縦折り紙ナプキンとし、これを横折れ目６で二つの紙片部に二つ折りしたもの、など種々採用でき、特に実施形態のものに限定する必要はない。
【００２４】
前記短い縦幅の紙片部７ｂの中央部寄り端縁４を縦幅方向に凹む湾曲した凹状部１５に形成し、前記長い縦幅の紙片部７ａの中央部寄り端縁４を前記凹状部１５の凹み面積に対応した縦幅方向に突出する湾曲した凸状舌片１６に形成してある。両端縁４，４をこのように形成したことによって、段違い二つ折り前の縦幅長さを一定の長さ（例えば、一般的に流通している折畳み紙ナプキンは２４〜２５ｃｍが主流。）に限定しているナプキン紙であっても、長い縦幅の紙片部７ａの縦幅方向の面積を凸状舌片１６の縦長さ範囲だけ更に広くでき、この長い縦幅の紙片部７ａを下にしてテーブル面にセットして挿入袋として用いる場合、テーブル面と箸、スプーン、フォーク等との接触範囲が更に少なくなって衛生的である。しかも、短い縦幅の紙片部７ｂの端縁４を湾曲した凹状部１５に形成してあるため、箸、スプーン、フォーク等を挿入口１３から挿入袋部１２へ入れやすい利点もある。
【００２５】
図示してないが、両側縁部３，３のうち一方の側縁部３の近くをスポット的な接着部位１０として接着剤（ホットメルト接着剤）を介して部分的に接着し、前記折り畳み対向紙面８ａ，８ｂ間に前記横折れ目６と一方側の前記接着部位１０で略Ｌ字状に区画された挿入袋部１２を形成すると共にこの挿入袋部の開放端側を挿入口１３として形成することもできる。
【００２６】
箸、スプーン、フォーク等の挿入袋として使用した後は、この挿入袋の接着した前記折畳み対向紙面８ａ，８ｂを離間方向に広げ、この広げ状態（前記した縦折り紙ナプキン５の状態）又はこの広げ状態から更に縦折れ目１を介して広げた状態の紙ナプキンとして使用する。
【００２７】
次に、本発明を図４〜図８に示した実施形態に基づき説明する。この実施形態の紙ナプキン兼用の箸、スプーン、フォーク等の挿入袋は、図１〜図３に示した実施形態の構成に加えて、前記接着部位１０を個別に囲む不連続な切れ目２０を前記折畳み対向紙面８ａ，８ｂを成す対向紙片層（３層の紙片のうち対向側にある紙片）の一方に形成したことを特徴としている。なお、図４〜図８に示した実施形態において、図１〜図３に示した実施形態と同符号で示した構成は同じ構成であるため、重複する構成の説明は省略する。
【００２８】
図４〜図８に示した実施形態によれば、接着力が高い接着剤（例えばホットメルト接着剤）を介して接着した場合においても、この接着部位１０を個別に囲む不連続な切れ目２０を前記折畳み対向紙面８ａ，８ｂを成す対向紙片層（３層の紙片のうち対向側にある紙片）の一方に形成したため、箸、スプーン、フォーク等の挿入袋としての役目を終えた本発明の前記折畳み対向紙面８ａ，８ｂを離間方向に広げて紙ナプキンとして用いる場合、前記切れ目２０を形成してある一方の対向紙片層の接着部はこの切れ目２０に沿って接着部を局部とした狭い範囲の接着紙片として容易且つ綺麗に抜き取られ（図７を参照）、切れ目部を超えた連鎖的な大きな紙破れもなく容易且つ綺麗に広げることができる。しかも、抜き取られた抜き取り紙片２１は他方の折畳み対向紙面の接着部にそのまま接着され移されるため（図７、図８を参照）、抜き取られた抜き取り紙片２１がゴミとなって落下することもなく、接着部（接着剤）は抜き取られた抜き取り紙片２１と他方の折畳み対向紙面の間にあり表面に現れないため、口を拭う際も接着部（接着剤）が口に直接触れることもない。
【００２９】
前記切れ目２０は前記折畳み対向紙面８ａ，８ａを成す対向紙片層を含む一方の紙片部の全層（この実施形態では三層）を貫通したものでも良い。貫通切れ目の場合も、切り抜かれる接着紙片は対向紙片層のみである。
【００３０】
このナプキン紙は、広く流通している通常の折畳み紙ナプキンと同様に、横幅方向に引っ張ると縦幅方向に沿って破れやすいが、同じ強さで縦幅方向に引っ張っても横幅方向に沿って破れにくい紙質で形成されている。この紙質に鑑み、前記切れ目２０を縦幅方向に向けた縦方向切れ目部２０ａと横幅方向に向けた横方向切れ目部２０ｂで形成し、前記縦方向切れ目２０ａは繋ぎ部を介したミシン目状の切れ目とし、前記横方向切れ目部２０ｂは繋ぎ部を介さない連続切れとしてある。なお、前記横方向切れ目部２０ｂは前記縦方向切れ目２０ａに比べて繋ぎ部の範囲を少なくしたミシン目状の切れ目とすることも可能である。切れ目２０をこのように形成したことによって、横幅方向に引っ張ると縦幅方向に破れやすい縦方向切れ目部２０ａは繋ぎ部を介在させることによって、紙ナプキンとして広げて用いるまでは不可抗力で破れないようにし、同じ強さで縦幅方向に引っ張っても横幅方向に沿って破れにくい横方向切れ目部２０ｂは切れ目範囲を超えて破れが広がりにくいため、この横方向切れ目部２０ｂは予め切り離し容易に形成した。しかも、前記横方向切れ目部２０ｂを前記縦方向切れ目部２０ａの切れ目方向と交わる位置に形成し、縦幅方向に沿って破れやすい前記縦方向切れ目部２０ａの切れ目方向の破れ広がりを前記横方向切れ目部２０ｂで止めることができるようにしてある。
【００３１】
図１〜図３の実施形態の説明で述べたと同様に、図４〜図８の実施形態においても、図示してないが、両側縁部３，３のうち一方の側縁部３の近くをスポット的な接着部位１０として接着剤（ホットメルト接着剤）を介して部分的に接着し、前記折畳み対向紙面８ａ，８ｂ間に前記横折れ目６と一方側の前記接着部位１０で略Ｌ字状に区画された挿入袋部１２を形成すると共にこの挿入袋部の開放端側を挿入口１３として形成することもできる。
【００３２】
箸、スプーン、フォーク等の挿入袋として使用した後は、この挿入袋の接着した前記折畳み対向紙面８ａ，８ｂを離間方向に広げ、この広げ状態（前記した縦折り紙ナプキン５の状態）又はこの広げ状態から更に縦折れ目１を介して広げた状態の紙ナプキンとして使用する。この実施形態では、局部接着した前記折畳み対向紙面８ａ，８ｂを離間方向に広げると、前記切れ目２０を形成してある一方の対向紙片層の接着部はこの切れ目に沿って接着部を局部とした狭い範囲の接着紙片として容易且つ綺麗に抜き取られ、抜き取られた抜き取り紙片２１は他方の折畳み対向紙面の接着部にそのまま接着され移される。
【実施例１】
【００３３】
図２、図５における縦幅サイズは約２４〜２５ｃｍ、横幅サイズは約８ｃｍである。なお、箸専用の挿入袋として用いる場合は横幅サイズを前記サイズより狭く設定しても良い。
【産業上の利用可能性】
【００３４】
例えば、使い捨ての箸は環境問題から順次、洗って再利用する箸に変わりつつある。然し箸を裸で出す事は、衛生上の問題で、再利用箸も、使い捨て箸と同様、袋に挿入して提供している。この袋は箸を取り出した時点でその役目は終わり、単なるゴミとして捨てられている。本発明によれば、和食洋食を問わず広く提供されている折畳み紙ナプキンを箸、スプーン、フォーク、ナイフ等の挿入袋と兼用にすることによって、従来の専用袋を不要にできる。本発明は、資源を節約でき、ゴミも減量できるため、産業上の利用価値が高いものと言える。
【符号の説明】
【００３５】
１  縦折れ目
２  側端縁
３，３  両側縁
４，４  両端縁
５  縦折り紙ナプキン
６  横折れ目
７ａ  長い縦幅の紙片部
７ｂ  短い縦幅の紙片部
８ａ，８ｂ  折畳み対向紙面
１０  接着部位（接着部）
１１  接着剤
１２  挿入袋部
１３  挿入口
１４  自由端片部
１５  凹状部
１６  凸状舌片
２０  切れ目
２０ａ  縦方向切れ目部
２０ｂ  横方向切れ目部
２１  抜き取り紙片
【図１】
2010240162.tif 000003
【図２】
2010240162.tif 000004
【図３】
2010240162.tif 000005
【図４】
2010240162.tif 000006
【図５】
2010240162.tif 000007
【図６】
2010240162.tif 000008
【図７】
2010240162.tif 000009
【図８】
2010240162.tif 000010
【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を横幅サイズ方向に横幅間隔を区画する両位置における前記横折れ目と交わる方向に間隔をおいた複数のスポット的な接着部位において局部的に接着し、前記折畳み対向紙面間に前記横折れ目と前記接着部位で該接着部位によって区画された前記横幅間隔を挿入横幅とする略コ字状に区画された挿入袋部を形成すると共にこの挿入袋部の開放端側を挿入口として形成し、且つ前記接着部位を個別に囲む不連続な切れ目を前記折畳み対向紙面を成す対向紙片層の一方に形成したことを特徴とする紙ナプキン兼用の箸、スプーン、フォーク等の挿入袋。
【請求項２】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を前記両側縁部又は一方の側縁部の近くの箇所をスポット的な接着部位として局部的に接着し、前記折畳み対向紙面間に前記横折れ目と前記接着部位で略コ字状又は略Ｌ字状に区画された挿入袋部を形成すると共にこの挿入袋部の開放端側を挿入口として形成し、且つ前記接着部位を個別に囲む不連続な切れ目を前記折畳み対向紙面を成す対向紙片層の一方に形成したことを特徴とする紙ナプキン兼用の箸、スプーン、フォーク等の挿入袋。
【請求項３】
前記折畳み紙ナプキンを横幅方向に引っ張ると縦幅方向に沿って破れやすいが、同じ強さで縦幅方向に引っ張っても横幅方向に沿って破れにくい紙質のナプキン紙で形成したものにおいて、前記切れ目を縦幅方向に向けた縦方向切れ目部と横幅方向に向けた横方向切れ目部で形成し、前記縦方向切れ目は繋ぎ部を介したミシン目状の切れ目とし、前記横方向切れ目部は繋ぎ部を介さない連続切れ目若しくは前記縦方向切れ目に比べて繋ぎ部の範囲を少なくしたミシン目状の切れ目としたことを特徴とする請求項１又は２記載の紙ナプキン兼用の箸、スプーン、フォーク等の挿入袋。
【請求項４】
前記横方向切れ目部を前記縦方向切れ目部の切れ目方向と交わる位置に形成したことを特徴とする請求項３記載の紙ナプキン兼用の箸、スプーン、フォーク等の挿入袋。
【請求項５】
一方の前記紙片部の中央部寄りの端縁を縦幅方向に凹む凹状部に形成し、他方の前記紙片部の中央部寄りの端縁を前記凹状部の凹み面積に対応した縦幅方向に突出する凸状舌片に形成したことを特徴とする請求項１又は２記載の紙ナプキン兼用の箸、スプーン、フォーク等の挿入袋。
【請求項６】
前記縦折り紙ナプキンを、前記縦折れ目と直交する直線状の前記横折れ目で長い縦幅と短い縦幅の二つの紙片部に前記両端縁を段違いにして二つ折りにしたことを特徴とする請求項１又は２記載の紙ナプキン兼用の箸、スプーン、フォーク等の挿入袋。
【請求項７】
前記短い縦幅の紙片部の中央部寄りの端縁を縦幅方向に凹む凹状部に形成し、前記長い縦幅の紙片部の中央部寄りの端縁を前記凹状部の凹み面積に対応した縦幅方向に突出する凸状舌片に形成したことを特徴とする請求項６記載の紙ナプキン兼用の箸、スプーン、フォーク等の挿入袋。
【請求項８】
前記挿入口に最も近い位置にある前記接着部位の位置を、前記短い縦幅の紙片部の端縁から前記横折れ目の方向にずらし、この端縁とずらした接着部位との間を自由端片部としたことを特徴とする請求項６記載の紙ナプキン兼用の箸、スプーン、フォーク等の挿入袋。
【手続補正２】
【補正対象書類名】明細書
【補正対象項目名】全文
【補正方法】変更
【補正の内容】
【発明の詳細な説明】
【技術分野】
【０００１】
本発明は、箸、スプーン、フォーク、ナイフ等の挿入袋として使用した後、この袋を広げて食卓用の紙ナプキンとして使用できるようにした紙ナプキン兼用の箸、スプーン、フォーク等の挿入袋に関する。
【背景技術】
【０００２】
箸、スプーン、フォーク、ナイフ等の挿入袋として使用した後、この袋を広げて食卓用の紙ナプキンとしても使用できるようにした従来技術として、特許文献１〜３が公開されている。
【０００３】
特許文献１の食卓用紙ナプキン兼用箸、スプーン等のカバーは、一枚のナプキン紙を1回又は複数回同方向に折畳み、最後に折畳み方向と直角に折返して重なる二つの紙片の開放した二つの側辺の双方を接着し、二つの紙片と、その両紙片間に箸、スプーン等を挿入する袋部を形成したものである（請求項２）。この接着は接着剤で行なわれ（段落０００５、０００６）、この接着剤の接着力は、食後に口を拭うために使用する際は容易に剥離できるように適度に低いものとしてある（段落０００７）。また、接着範囲は、図示の実施例では側辺の全体を接着してある。換言すれば文献１の接着は容易に剥離されてしまうものと言え、たとえ側辺全体を接着してあっても容易に剥離されてしまうものと言える。したがって、この文献の紙ナプキン兼用カバーは、カバーとして使用する際には袋としての機能を保持しにくいものである。特に金属製のスプーン、フォーク、ナイフ等の重いものや、湾曲した嵩張る形状ゆえ袋内で広い空間を占めるスプーンやフォークを袋内に挿入する場合、特に挿入時に袋にかかる抵抗で接着部が剥離してしまう懸念がある。
【０００４】
特許文献２のナプキンのついた箸袋は、箸袋の箸挿入先を接着した構造であり、挿入した箸の先端で接着部が剥れてしまう懸念がある。
【０００５】
特許文献３の箸袋ナプキンは、単にナプキン紙を折り畳んだ構造であり、箸袋としては無接着の構造であるため箸袋としての袋形態を保持しにくいものである。
【先行技術文献】
【特許文献】
【０００６】
【特許文献１】実用新案登録第３００５３００号公報
【特許文献２】実開昭６３−３４０７７号公報
【特許文献３】実開昭５４−１１９５７４号公報
【発明の概要】
【発明が解決しようとする課題】
【０００７】
このような実情に鑑み、本発明に係る紙ナプキン兼用の箸、スプーン、フォーク等の挿入袋は、箸、スプーン、フォーク、ナイフ等の挿入袋として使用する際は袋としての機能を的確に保持できると共に、この袋を広げて紙ナプキンとして用いる際も、容易に広げることができ、且つ破れの少ない紙ナプキンを提供することを主な目的とするものである（第一の課題）。
【０００８】
また、特許文献１の図面に示したように、挿入袋としてテーブル面上にセットする場合、段違い二つ折りの長い縦幅の紙片部を下にしてテーブル面にセットしている。しかし、段違い二つ折り前の縦幅長さを一定の長さ（例えば、一般的に流通している折畳み紙ナプキンは２４〜２５ｃｍが主流。）に限定しているナプキン紙においては、二つ折りされた長い縦幅の紙片部の縦幅長さにも限界がある。このため、実情としてはテーブル面と箸、スプーン、フォーク等との接触範囲が多くなってしまい不衛生である。本発明に係る紙ナプキン兼用の箸、スプーン、フォーク等の挿入袋は、この問題も解決しようとするものである（第二の課題）。
【課題を解決するための手段】
【０００９】
上記した第一の課題を解決するため、本発明は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を前記両側縁部又は一方の側縁部の近くの箇所における前記横折れ目と交わる方向に間隔をおいた複数箇所をスポット的な接着部位としてホットメルト接着剤を介して局部的に接着し、前記折畳み対向紙面間に前記横折れ目と前記接着部位で略コ字状又は略Ｌ字状に区画された挿入袋部を形成すると共にこの挿入袋部の開放端側を挿入口として形成した紙ナプキン兼用の箸、スプーン、フォーク等の挿入袋を提供する。また、前記縦折り紙ナプキンを、前記縦折れ目と直交する直線状の前記横折れ目で長い縦幅と短い縦幅の二つの紙片部に前記両端縁を段違いにして二つ折りにした紙ナプキン兼用の箸、スプーン、フォーク等の挿入袋を提供する。
【００１０】
この発明によれば、前記折畳み対向紙面を前記両側縁部又は一方の側縁部の近くの箇所における前記横折れ目と交わる方向に間隔をおいた複数箇所をスポット的な接着部位としてホットメルト接着剤を介して局部的に接着して挿入袋部を形成したものであるため、スポット的な局部接着であってもホットメルト接着剤によって比較的強く接着でき、箸、スプーン、フォーク、ナイフ等の挿入袋として使用する際は袋としての機能を的確に保持でき、この袋を広げて紙ナプキンとして用いる際も、スポット的な局部接着であるため側辺全体を接着剤で接着した場合に比べ、接着部を剥がしやすく容易に且つ紙破れ少ない紙ナプキンに広げることができる。
【００１１】
また、上記した第一の課題を解決するため、本発明は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を前記両側縁部又は一方の側縁部の近くの箇所における前記横折れ目と交わる方向に間隔をおいた複数箇所をスポット的な接着部位として局部的に接着し、前記折畳み対向紙面間に前記横折れ目と前記接着部位で略コ字状又は略Ｌ字状に区画された挿入袋部を形成すると共にこの挿入袋部の開放端側を挿入口として形成し、且つ前記接着部位を個別に囲む不連続な切れ目を前記折畳み対向紙面を成す対向紙片層の一方に形成した紙ナプキン兼用の箸、スプーン、フォーク等の挿入袋を提供する。また、上記した第一の課題を解決するため、本発明は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を横幅サイズ方向に横幅間隔を区画する両位置における前記横折れ目と交わる方向に間隔をおいた複数のスポット的な接着部位において局部的に接着し、前記折畳み対向紙面間に前記横折れ目と前記接着部位で該接着部位によって区画された前記横幅間隔を挿入横幅とする略コ字状に区画された挿入袋部を形成すると共にこの挿入袋部の開放端側を挿入口として形成し、且つ前記接着部位を個別に囲む不連続な切れ目を前記折畳み対向紙面を成す対向紙片層の一方に形成したことを特徴とする紙ナプキン兼用の箸、スプーン、フォーク等の挿入袋を提供する。また、前記縦折り紙ナプキンを、前記縦折れ目と直交する直線状の前記横折れ目で長い縦幅と短い縦幅の二つの紙片部に前記両端縁を段違いにして二つ折りにした紙ナプキン兼用の箸、スプーン、フォーク等の挿入袋を提供する。
【００１２】
この発明によれば、接着力が高い接着剤（例えばホットメルト接着剤）を介して接着した場合や接着力を強くエンボス接着（例えば、このエンボス接着は前記接着部位を含む部位に水分を付与してから接着部位をエンボス接着して行なう。）した場合においても、この接着部位を個別に囲む不連続な切れ目を前記折畳み対向紙面を成す対向紙片層の一方に形成したため、箸、スプーン、フォーク等の挿入袋としての役目を終えた本発明の前記折畳み対向紙面を離間方向に広げて紙ナプキンとして用いる場合、前記切れ目を形成してある一方の対向紙片層の接着部はこの切れ目に沿って接着部を局部とした狭い範囲の接着紙片として容易且つ綺麗に抜き取られ、切れ目部を超えた連鎖的な大きな紙破れもなく容易且つ綺麗に広げることができる。しかも、抜き取られた抜き取り紙片は他方の折畳み対向紙面の接着部にそのまま接着され移されるため、抜き取られた抜き取り紙片がゴミとなって落下することもなく、接着部（接着剤）は抜き取られた抜き取り紙片と他方の折畳み対向紙面の間にあり表面に現れないため、口を拭う際も接着部（接着剤）が口に直接触れることもない。したがって、この発明によれば第一の課題をより効果的に解決できる。
【００１３】
また、上記した第一の課題を解決するため、本発明は、前記折畳み紙ナプキンを横幅方向に引っ張ると縦幅方向に沿って破れやすいが、同じ強さで縦幅方向に引っ張っても横幅方向に沿って破れにくい紙質のナプキン紙で形成したものにおいて、前記切れ目を縦幅方向に向けた縦方向切れ目部と横幅方向に向けた横方向切れ目部で形成し、前記縦方向切れ目は繋ぎ部を介したミシン目状の切れ目とし、前記横方向切れ目部は繋ぎ部を介さない連続切れ目若しくは前記縦方向切れ目に比べて繋ぎ部の範囲を少なくしたミシン目状の切れ目とした紙ナプキン兼用の箸、スプーン、フォーク等の挿入袋を提供する。また、上記した第一の課題を解決するため、本発明は、前記横方向切れ目部を前記縦方向切れ目部の切れ目方向と交わる位置に形成した紙ナプキン兼用の箸、スプーン、フォーク等の挿入袋を提供する。
【００１４】
折畳み紙ナプキンを形成するナプキン紙は横幅方向の引っ張り強さに比べて縦幅方向の引っ張り強さを強く形成してある。すなわち、ナプキン紙は、横幅方向に引っ張ると縦幅方向に沿って破れやすいが、同じ強さで縦幅方向に引っ張っても横幅方向に沿って破れにくい紙質に形成してある。このナプキン紙の紙質を考慮した本発明の前記切れ目によれば、横幅方向に引っ張ると縦幅方向に破れやすい縦方向切れ目部は繋ぎ部を介在させることによって、紙ナプキンとして広げて用いるまでは不可抗力で破れないようにし、同じ強さで縦幅方向に引っ張っても横幅方向に沿って破れにくい横方向切れ目部は切れ目範囲を超えて破れが広がりにくいため、この横方向切れ目部は予め切り離し容易に形成してある。しかも、前記横方向切れ目部を前記縦方向切れ目部の切れ目方向と交わる位置に形成してあるため、縦幅方向に沿って破れやすい縦方向切れ目部の切れ目方向の破れ広がりを横方向切れ目部で止めることができる。よって、挿入袋としての役目を終えた本発明の前記折り畳み対向紙面を開け広げて紙ナプキンとして用いる場合、前記切れ目を形成してある一方の対向紙片層の接着部は、前記横方向切れ目部と前記縦方向切れ目部からなる切れ目に沿って接着部を局部とした狭い範囲の接着紙片として更に容易且つ綺麗に抜き取れる。
【００１５】
また、上記した第二の課題を解決するため、本発明は、一方の前記紙片部の中央部寄り端縁を縦幅方向に凹む湾曲した凹状部に形成し、他方の前記紙片部の中央部寄り端縁を前記凹状部の凹み面積に対応した縦幅方向に突出する湾曲した凸状舌片に形成した紙ナプキン兼用の箸、スプーン、フォーク等の挿入袋を提供する。また、上記した第二の課題を解決するため、本発明は、前記縦折り紙ナプキンを、前記縦折れ目と直交する直線状の横折れ目で長い縦幅と短い縦幅の二つの紙片部に前記両端縁を段違いにして二つ折りにしたものにおいて、前記短い縦幅の紙片部の中央部寄り端縁を縦幅方向に凹む湾曲した凹状部に形成し、前記長い縦幅の紙片部の中央部寄り端縁を前記凹状部の凹み面積に対応した縦幅方向に突出する湾曲した凸状舌片に形成した紙ナプキン兼用の箸、スプーン、フォーク等の挿入袋を提供する。
【００１６】
箸、スプーン、フォーク等の挿入袋として用いる場合、段違い二つ折りの折り畳み紙ナプキンは長い縦幅の紙片部を下にしてテーブル面にセットしている。この発明によれば、段違い二つ折り前の縦幅長さを一定の長さ（例えば、一般的に流通している折畳み紙ナプキンは２４〜２５ｃｍが主流。）に限定しているナプキン紙であっても、長い縦幅の紙片部の縦幅方向の面積を凸状舌片の縦長さ範囲だけ更に広くできる。長い縦幅の紙片部を下にしてテーブル面にセットして挿入袋として用いる場合、テーブル面と箸、スプーン、フォーク等との接触範囲が更に少なくなって衛生的である。しかも、短い縦幅の紙片部の端縁を凹状部に湾曲形成してあるため、箸、スプーン、フォーク等を挿入口から挿入袋部へ入れやすい利点もある。
【発明の効果】
【００１７】
上記したように、本発明によれば、箸、スプーン、フォーク、ナイフ等の挿入袋として使用する際は袋としての機能を的確に保持でき、この袋を広げて紙ナプキンとして用いる際も、スポット的な局部接着であるため側辺全体を接着剤で接着した場合に比べ、接着部を剥がしやすく容易に且つ紙破れ少ない紙ナプキンを提供でき、第一の課題を解決できる。そして、各接着部を抜き取り可能な切れ目を形成した本発明によれば、段落００１２で述べたように、優れた機能及び効果を有しているため、第一の課題をより効果的に解決できる。
【００１８】
また、一方の紙片部（短い縦幅の紙片部）の端縁を縦幅方向に凹む湾曲した凹状部に形成し、他方の紙片部（長い縦幅の紙片部）の端縁を前記凹状部の凹み面積に対応した縦幅方向に突出する湾曲した凸状舌片に形成した本発明によれば、段落００１６で述べたように、特に、箸、スプーン、フォーク等の挿入袋として用いる場合に優れた機能及び効果を発揮し、第二の課題を効果的に解決できる。この発明は、市場に広く流通している段違い二つ折りの折畳み紙ナプキン（いわゆる六つ折り紙ナプキンなど）の縦幅長さが一定の長さに限定されている実情を考慮した場合、特に優れた効果を発揮するものである。
【図面の簡単な説明】
【００１９】
【図１】本発明の正面図である。
【図２】図１の実施形態における接着前の広げ状態を説明的に示す正面図である。
【図３】図２のＡ−Ａ矢視線による断面図である。
【図４】本発明の最良の実施形態を示す正面図である。
【図５】図４の実施形態における接着前の広げ状態を説明的に示す正面図である。
【図６】図５のＢ−Ｂ矢視線による断面図である。
【図７】図４の挿入袋を紙ナプキンとして広げた状態を説明的に示す正面図である。
【図８】図７のＣ−Ｃ矢視線による断面図である。
【発明を実施するための形態】
【００２０】
本発明を図１〜図３に示した実施形態に基づき説明する。この実施形態の紙ナプキン兼用の箸、スプーン、フォーク等の挿入袋は、ナプキン紙を直線状の縦折れ目１で２回折畳み、この折畳み形態において前記縦折れ目１又はこの縦折れ目１と平行な側端縁２で横幅サイズを区画する両側縁３，３をもつと共にこの両側縁３，３と交わる両端縁４，４で縦幅サイズを区画された縦折り紙ナプキン５を、前記縦折れ目１と直交する直線状の横折れ目６で長い縦幅の紙片部７ａ（３層の紙片）と短い縦幅の紙片部７ｂ（３層の紙片）の二つの紙片部に前記両端縁４，４を段違いにして二つ折りし、前記両紙片部７ａ，７ｂ間に互いに重ね合わされる折畳み対向紙面８ａ，８ｂをもつ折畳み紙ナプキンであり、この折畳み紙ナプキンの前記折畳み対向紙面８ａ，８ｂを前記両側縁部３，３の近くの箇所をスポット的な接着部位１０として接着剤１１（ホットメルト接着剤）を介して局部的に接着し、前記折畳み対向紙面８ａ，８ｂ間に前記横折れ目６と前記接着部位１０で略コ字状に区画された挿入袋部１２を形成すると共にこの挿入袋部１２の開放端側を挿入口１３として形成してある。なお、前記ナプキン紙として、この実施例では衛生紙を用いるが、紙に類した素材である不織布を除外するものではない。
【００２１】
前記接着は、前記折畳み対向紙面８ａ，８ｂを前記両側縁部３，３の近くの箇所における前記横折れ目６と直交する方向に間隔をおいた複数箇所（二箇所）をスポット的な接着部位１０として接着剤１１（ホットメルト接着剤）を介して局部的に接着してある。ホットメルト接着剤によるスポット的な各接着部位は１ｍｍ〜３ｍｍ径の小さな点状接着で前記折畳み対向紙面８ａ，８ｂを局部的に確実に接着できる。
【００２２】
前記挿入口１３の位置に最も近い位置（図１では最上部）にあるスポット的な前記接着部位１０（接着部）の位置を、短い縦幅の紙片部７ｂの端縁４から横折れ目６の方向にずらしてあり（符号Ｌの長さ範囲）、この端縁４とずらしたスポット的な前記接着部位１０（接着部）との間を接着してない自由端片部１４とし、挿入口１３から挿入袋部１２への箸などの挿入を容易にしている。また、この自由端片部１４を設けたことによって、この自由端片部１４を摘んで短い縦幅の紙片部７ｂを長い縦幅の紙片部７ａから離間方向に広げる操作を容易にしている。
【００２３】
図示した折畳み紙ナプキンは、ナプキン紙を直線状の縦折れ目１で２回折畳み三層の縦折り紙ナプキン５とし（図３参照）、この縦折り紙ナプキン５を、前記縦折れ目１と直交する直線状の横折れ目６で長い縦幅の紙片部７ａ（３層の紙片）と短い縦幅の紙片部７ｂ（３層の紙片）の二つの紙片部に前記両端縁４，４を段違いにして二つ折りした、いわゆる六つ折り紙ナプキンを例にしている。縦折り紙ナプキンを横折れ目６で二つ折りしたものであれば、縦折り形態は、図示したものに限定されず、ナプキン紙を直線状の縦折れ目１で１回折畳み二層の縦折り紙ナプキンとし、これを横折れ目６で二つの紙片部に二つ折りしたもの（いわゆる四つ折り紙ナプキン）、ナプキン紙を直線状の縦折れ目１で２回折畳み略Ｃ字状の二層の縦折り紙ナプキンとし、これを横折れ目６で二つの紙片部に二つ折りしたもの、など種々採用でき、特に実施形態のものに限定する必要はない。
【００２４】
前記短い縦幅の紙片部７ｂの中央部寄り端縁４を縦幅方向に凹む湾曲した凹状部１５に形成し、前記長い縦幅の紙片部７ａの中央部寄り端縁４を前記凹状部１５の凹み面積に対応した縦幅方向に突出する湾曲した凸状舌片１６に形成してある。両端縁４，４をこのように形成したことによって、段違い二つ折り前の縦幅長さを一定の長さ（例えば、一般的に流通している折畳み紙ナプキンは２４〜２５ｃｍが主流。）に限定しているナプキン紙であっても、長い縦幅の紙片部７ａの縦幅方向の面積を凸状舌片１６の縦長さ範囲だけ更に広くでき、この長い縦幅の紙片部７ａを下にしてテーブル面にセットして挿入袋として用いる場合、テーブル面と箸、スプーン、フォーク等との接触範囲が更に少なくなって衛生的である。しかも、短い縦幅の紙片部７ｂの端縁４を湾曲した凹状部１５に形成してあるため、箸、スプーン、フォーク等を挿入口１３から挿入袋部１２へ入れやすい利点もある。
【００２５】
図示してないが、両側縁部３，３のうち一方の側縁部３の近くをスポット的な接着部位１０として接着剤（ホットメルト接着剤）を介して部分的に接着し、前記折り畳み対向紙面８ａ，８ｂ間に前記横折れ目６と一方側の前記接着部位１０で略Ｌ字状に区画された挿入袋部１２を形成すると共にこの挿入袋部の開放端側を挿入口１３として形成することもできる。
【００２６】
箸、スプーン、フォーク等の挿入袋として使用した後は、この挿入袋の接着した前記折畳み対向紙面８ａ，８ｂを離間方向に広げ、この広げ状態（前記した縦折り紙ナプキン５の状態）又はこの広げ状態から更に縦折れ目１を介して広げた状態の紙ナプキンとして使用する。
【００２７】
次に、本発明を図４〜図８に示した実施形態に基づき説明する。この実施形態の紙ナプキン兼用の箸、スプーン、フォーク等の挿入袋は、図１〜図３に示した実施形態の構成に加えて、前記接着部位１０を個別に囲む不連続な切れ目２０を前記折畳み対向紙面８ａ，８ｂを成す対向紙片層（３層の紙片のうち対向側にある紙片）の一方に形成したことを特徴としている。なお、図４〜図８に示した実施形態において、図１〜図３に示した実施形態と同符号で示した構成は同じ構成であるため、重複する構成の説明は省略する。
【００２８】
図４〜図８に示した実施形態によれば、接着力が高い接着剤（例えばホットメルト接着剤）を介して接着した場合においても、この接着部位１０を個別に囲む不連続な切れ目２０を前記折畳み対向紙面８ａ，８ｂを成す対向紙片層（３層の紙片のうち対向側にある紙片）の一方に形成したため、箸、スプーン、フォーク等の挿入袋としての役目を終えた本発明の前記折畳み対向紙面８ａ，８ｂを離間方向に広げて紙ナプキンとして用いる場合、前記切れ目２０を形成してある一方の対向紙片層の接着部はこの切れ目２０に沿って接着部を局部とした狭い範囲の接着紙片として容易且つ綺麗に抜き取られ（図７を参照）、切れ目部を超えた連鎖的な大きな紙破れもなく容易且つ綺麗に広げることができる。しかも、抜き取られた抜き取り紙片２１は他方の折畳み対向紙面の接着部にそのまま接着され移されるため（図７、図８を参照）、抜き取られた抜き取り紙片２１がゴミとなって落下することもなく、接着部（接着剤）は抜き取られた抜き取り紙片２１と他方の折畳み対向紙面の間にあり表面に現れないため、口を拭う際も接着部（接着剤）が口に直接触れることもない。
【００２９】
前記切れ目２０は前記折畳み対向紙面８ａ，８ａを成す対向紙片層を含む一方の紙片部の全層（この実施形態では三層）を貫通したものでも良い。貫通切れ目の場合も、切り抜かれる接着紙片は対向紙片層のみである。
【００３０】
このナプキン紙は、広く流通している通常の折畳み紙ナプキンと同様に、横幅方向に引っ張ると縦幅方向に沿って破れやすいが、同じ強さで縦幅方向に引っ張っても横幅方向に沿って破れにくい紙質で形成されている。この紙質に鑑み、前記切れ目２０を縦幅方向に向けた縦方向切れ目部２０ａと横幅方向に向けた横方向切れ目部２０ｂで形成し、前記縦方向切れ目２０ａは繋ぎ部を介したミシン目状の切れ目とし、前記横方向切れ目部２０ｂは繋ぎ部を介さない連続切れとしてある。なお、前記横方向切れ目部２０ｂは前記縦方向切れ目２０ａに比べて繋ぎ部の範囲を少なくしたミシン目状の切れ目とすることも可能である。切れ目２０をこのように形成したことによって、横幅方向に引っ張ると縦幅方向に破れやすい縦方向切れ目部２０ａは繋ぎ部を介在させることによって、紙ナプキンとして広げて用いるまでは不可抗力で破れないようにし、同じ強さで縦幅方向に引っ張っても横幅方向に沿って破れにくい横方向切れ目部２０ｂは切れ目範囲を超えて破れが広がりにくいため、この横方向切れ目部２０ｂは予め切り離し容易に形成した。しかも、前記横方向切れ目部２０ｂを前記縦方向切れ目部２０ａの切れ目方向と交わる位置に形成し、縦幅方向に沿って破れやすい前記縦方向切れ目部２０ａの切れ目方向の破れ広がりを前記横方向切れ目部２０ｂで止めることができるようにしてある。
【００３１】
図１〜図３の実施形態の説明で述べたと同様に、図４〜図８の実施形態においても、図示してないが、両側縁部３，３のうち一方の側縁部３の近くをスポット的な接着部位１０として接着剤（ホットメルト接着剤）を介して部分的に接着し、前記折畳み対向紙面８ａ，８ｂ間に前記横折れ目６と一方側の前記接着部位１０で略Ｌ字状に区画された挿入袋部１２を形成すると共にこの挿入袋部の開放端側を挿入口１３として形成することもできる。
【００３２】
箸、スプーン、フォーク等の挿入袋として使用した後は、この挿入袋の接着した前記折畳み対向紙面８ａ，８ｂを離間方向に広げ、この広げ状態（前記した縦折り紙ナプキン５の状態）又はこの広げ状態から更に縦折れ目１を介して広げた状態の紙ナプキンとして使用する。この実施形態では、局部接着した前記折畳み対向紙面８ａ，８ｂを離間方向に広げると、前記切れ目２０を形成してある一方の対向紙片層の接着部はこの切れ目に沿って接着部を局部とした狭い範囲の接着紙片として容易且つ綺麗に抜き取られ、抜き取られた抜き取り紙片２１は他方の折畳み対向紙面の接着部にそのまま接着され移される。
【実施例１】
【００３３】
図２、図５における縦幅サイズは約２４〜２５ｃｍ、横幅サイズは約８ｃｍである。なお、箸専用の挿入袋として用いる場合は横幅サイズを前記サイズより狭く設定しても良い。
【産業上の利用可能性】
【００３４】
例えば、使い捨ての箸は環境問題から順次、洗って再利用する箸に変わりつつある。然し箸を裸で出す事は、衛生上の問題で、再利用箸も、使い捨て箸と同様、袋に挿入して提供している。この袋は箸を取り出した時点でその役目は終わり、単なるゴミとして捨てられている。本発明によれば、和食洋食を問わず広く提供されている折畳み紙ナプキンを箸、スプーン、フォーク、ナイフ等の挿入袋と兼用にすることによって、従来の専用袋を不要にできる。本発明は、資源を節約でき、ゴミも減量できるため、産業上の利用価値が高いものと言える。
【符号の説明】
【００３５】
１  縦折れ目
２  側端縁
３，３  両側縁
４，４  両端縁
５  縦折り紙ナプキン
６  横折れ目
７ａ  長い縦幅の紙片部
７ｂ  短い縦幅の紙片部
８ａ，８ｂ  折畳み対向紙面
１０  接着部位（接着部）
１１  接着剤
１２  挿入袋部
１３  挿入口
１４  自由端片部
１５  凹状部
１６  凸状舌片
２０  切れ目
２０ａ  縦方向切れ目部
２０ｂ  横方向切れ目部
２１  抜き取り紙片